(57)【要約】【課題】施工コストを抑えつつ、暖冷房時に良好な快適性を実現することができる暖冷房システムを提供する。【解決手段】暖冷房システム１は、居室Ａの天井１０に吹き出し口５を設けている。この吹き出し口５は、居室Ａ内に温風や冷風を吹き出すために用いられる。そして、暖房時には、温風Ｗａを吹き出し口５から居室Ａ内に吹き出す。具体的には、温風Ｗａを床１２まで届くように吹き出す。これにより、温風Ｗａは床１２に当たって水平に拡散して、床１２全体が暖められる。したがって、暖冷房システム１は、床暖房システムのように高価な部材を使用しなくても床１２全体を暖めることが可能になり、床暖房システムでは実現できなかった居室Ａ内の冷房を行うことも可能になる。【選択図】図１
2012026609.tif 000002
【特許請求の範囲】
【請求項１】
暖冷房を行う部屋の天井やその近くに温風または冷風の吹き出し口を設け、暖房時には前記温風が床まで届くように吹き出し可能であることを特徴とする暖冷房システム。
【請求項２】
請求項１に記載の暖冷房システムにおいて、
冷房時には前記冷風が前記天井に沿って流れるように吹き出し可能であることを特徴とする暖冷房システム。
【請求項３】
請求項１または請求項２に記載の暖冷房システムにおいて、
前記温風または前記冷風の吹き出し方向を変更するためのリモコンを備えたことを特徴とする暖冷房システム。
【発明の詳細な説明】
【技術分野】
【０００１】
本件発明は、部屋の暖冷房を行う暖冷房システムに関する。
【背景技術】
【０００２】
従来より、部屋の暖房を行うものとしては、床暖房システム（例えば特許文献１）が知られている。この床暖房システムは、エアコン等の対流式の暖房システムに比べて床が冷えることがなく、良好な快適性を実現している。
【先行技術文献】
【特許文献】
【０００３】
【特許文献１】特開２００１−７４２５９号公報
【発明の概要】
【発明が解決しようとする課題】
【０００４】
しかしながら、床暖房システムの場合には、高価な床暖房用パネルを敷設するために施工コストがかかる。また、床暖房システムは暖房のみに使用することができ、冷房には使用することができない。そこで、施工コストを抑えつつ、暖冷房時に良好な快適性を実現することができる暖冷房システムが要求されている。
【０００５】
本件発明は、このような従来の課題に鑑みてなされたものであり、施工コストを抑えつつ、暖冷房時に良好な快適性を実現することができる暖冷房システムを提供することを目的とする。
【課題を解決するための手段】
【０００６】
本件発明者等は、鋭意研究の結果、前記課題を解決するために以下のような暖冷房システムを採用した。
【０００７】
本件発明の暖冷房システムは、居室の天井やその近くに温風または冷風の吹き出し口を設け、暖房時には温風が床まで届くように吹き出し可能であることを特徴としている。
【０００８】
また、冷房時には冷風が天井に沿って流れるように吹き出し可能であることが好ましい。さらに、温風または冷風の吹き出し方向を変更するためのリモコンを備えることが好ましい。
【発明の効果】
【０００９】
本件発明の暖冷房システムでは、部屋の天井やその近くに吹き出し口を設け、暖房時には温風が床まで届くように吹き出し可能とした。したがって、床暖房システムのように高価な部材を使用しなくても、床全体を暖めることが可能になり、冷房を行うことも可能になる。よって、本件発明の暖冷房システムは、施工コストを抑えつつ、暖冷房時に良好な快適性を実現することができる。
【図面の簡単な説明】
【００１０】
【図１】本件発明の一実施の形態の暖冷房システムを示す模式図である。
【図２】同実施の形態において暖房時の温風の流れを示す模式図である。
【図３】同実施の形態において冷房時の冷風の流れを示す模式図である。
【発明を実施するための形態】
【００１１】
以下、本件発明の実施の形態を図にしたがって説明する。
【００１２】
図１は、本件発明の一実施の形態を示す暖冷房システム１（エアコン）の模式図である。本実施の形態の暖冷房システム１は、二階建ての住宅の一階の居室Ａと浴室Ｂの暖冷房に使用される。
【００１３】
この暖冷房システム１は、室外機２、室内機３、浴室Ｂ用の吹き出し口４、居室Ａ用の吹き出し口５、リモコン（図示せず）を備えている。これらは周知のものである。
【００１４】
室内機３は、居室Ａと浴室Ｂの間にある廊下Ｃの天井２０の裏側に配置されている。室内機３は冷媒管６により室外機２に接続されている。なお、室内機３は、居室Ａに近い部屋の天井や収納空間等に配置しても良い。
【００１５】
リモコンは、使用者が室内機３の動作を制御するために用いられる。具体的には、リモコンの操作により、温風や冷風の吹き出し方向の変更、温度調節等を行うことが可能になっている。
【００１６】
浴室用の吹き出し口４は、浴室Ｂ内に温風または冷風を吹き出すために用いられる。この吹き出し口４は、浴室Ｂの壁面の上部に設けられており、ダクト７を介して室内機３に接続されている。
【００１７】
居室Ａ用の吹き出し口５は、居室Ａ内に温風または冷風を吹き出すために用いられる。この吹き出し口５は複数あり、各吹き出し口５は、天井１０の裏側に配置されたダクト８を介して室内機３に接続されている。なお、ダクト８は、各吹き出し口５と室内機３とをそれぞれ接続したり、１本のダクトの一端側を分岐させて各吹き出し口５に接続するようにしても良い。
【００１８】
また、複数の吹き出し口５は、居室Ａの天井１０に分散して設けられている。吹き出し口５の設置数は、居室Ａの床面積に応じて設定する。吹き出し口５の位置は、家具や人体に温風や冷風が当たらないように設定することが好ましい。本実施の形態では、図２に示すように天井１０の対角位置に吹き出し口５を設定している。なお、天井１０に近い位置、例えば居室Ａの壁面１１の上部に複数の吹き出し口を分散して設けても良い。また、吹き出し口の設置数は１つでも良い。
【００１９】
次に、本実施の形態の暖冷房システム１による居室Ａの暖房方法と冷房方法を説明する。  
【００２０】
（暖房）
暖冷房システム１は、図２に示すように、温風Ｗａを吹き出し口５から居室Ａ内に吹き出す。具体的には、温風Ｗａを床１２まで届くように吹き出す。これにより、温風Ｗａは床１２に当たって水平に拡散して、床１２全体が暖められる。
【００２１】
（冷房）
暖冷房システム１は、図３に示すように、冷風Ｗｂを吹き出し口５から居室Ａ内に吹き出す。具体的には、冷風Ｗｂを天井１０に沿って流れるように吹き出す。これにより、冷風Ｗｂは天井１０付近で水平に拡散して、その後に自然に落下し、居室Ａ内の全体が冷やされる。
【００２２】
このように本実施の形態の暖冷房システムでは、居室Ａの天井１０やその近くに吹き出し口５を設けて、暖房時には温風が床１２まで届くように吹き出し可能にした。したがって、床暖房システムのように高価な部材を使用しなくても床１２全体を暖めることが可能になる。また、床暖房システムでは実現できなかった冷房を行うことも可能になる。よって、本実施の形態の暖冷房システム１は、施工コストを抑えつつ、暖冷房時に良好な快適性を実現することができる。また、冷房時には、冷風Ｗｂが天井１０に沿って流れるように吹き出し可能にしたことにより居室Ａ内の全体が冷やされるので、居室Ａ内の冷房効率を高めることができる。
【００２３】
なお、温風Ｗａの風速は冷風Ｗｂの風速よりも大きく設定することが好ましい。例えば、標準的な床面積が２２．６ｍ２（１４畳相当）、天井高が２．５ｍを前提にした場合には、暖房時に床１２まで熱を伝えるために温風の風速を３ｍ／ｓ以上、好ましくは４ｍ／ｓ前後に設定し、冷風の風速を２ｍ／ｓ以下に設定する。
【００２４】
なお、図１に示すように居室Ａ内に吹き出された温風Ｗａは、居室Ａのドアのアンダーカット（図示せず）を通じて廊下Ｃに流れる。室内機３は、廊下Ｃに流れた温風Ｗａを吸い込んで居室Ａ内に再び吹き出す。図示しないが、冷風Ｗｂの場合も同様である。
【００２５】
このように、居室Ａの暖冷房に使用する温風Ｗａ（冷風Ｗｂ）は、居室Ａ→廊下Ｃ→廊下Ｃの天井２０の裏→居室Ａの天井１０の裏の順に循環する。したがって、居室でない場所（廊下Ｃ）の暖冷房も同時に行うことが可能になる。よって、本実施の形態の暖冷房システム１は、より高い快適性を実現することができる。
【００２６】
また、廊下Ｃから温風Ｗａ（冷風Ｗｂ）を吸い込むようにすることにより、居室Ａ内に吹き出される温風Ｗａ（冷風Ｗｂ）とのショートカットが無い。したがって、暖冷房を効率よく行うことができ、省エネ性を高めることができる。また、居室Ａ内の温度にムラが無くなるので、さらに高い快適性を実現することもできる。
【００２７】
なお、図１に示すように浴室Ｂを暖冷房する場合には、浴室Ｂ用の吹き出し口４から浴室Ｂ内へ温風Ｗａ（冷風Ｗｂ）を吹き出す。浴室Ｂ内へ吹き出された温風Ｗａ（冷風Ｗｂ）は、浴室Ｂのドアのアンダーカット（図示せず）を通じて廊下Ｃに流れていき、室内機３が温風Ｗａ（冷風Ｗｂ）を吸い込んで浴室Ｂ内に再び吹き出す。
【００２８】
このように、浴室Ｂの暖冷房に使用する温風Ｗａや冷風Ｗｂは、浴室Ｂ→廊下Ｃ→廊下Ｃの天井２０の裏側の順に循環する。したがって、この場合も、浴室Ｂでない場所（廊下Ｃ）の暖冷房を同時に行うことが可能になる。よって、本実施の形態の暖冷房システム１は、より高い快適性を実現することができる。
【００２９】
また、本実施の形態の暖冷房システム１では、使用者がリモコンを操作して温風Ｗａや冷風Ｗｂの吹き出し方向を変更できるので、使用者の好みに応じた温風Ｗａや冷風Ｗｂの吹き出し方向の調節が可能になり、より高い快適性を実現することができる。
【００３０】
以上、本件発明にかかる実施の形態を例示したが、この実施の形態は本件発明の内容を限定するものではない。また、本件発明の請求項の範囲を逸脱しない範囲であれば、各種の変更等は可能である。
【００３１】
例えば、本実施の形態の暖冷房システム１では一階の居室に適用したが、二階の居室等、暖冷房を行う部屋であれば適用が可能である。その場合でも、本実施の形態で説明した効果と同様の効果を得ることができる。
【産業上の利用可能性】
【００３２】
以上説明したように本件発明の暖冷房システムは、施工コストを抑えつつ、暖冷房時に良好な快適性を実現することができる。したがって、本件発明の暖冷房システムを、暖冷房システムの技術分野で十分に利用することができる。
【符号の説明】
【００３３】
１    暖冷房システム
５    吹き出し口
１０    天井
１２    床
Ａ    居室
Ｗａ    温風
Ｗｂ    冷風
【図２】
2012026609.tif 000003
【図３】
2012026609.tif 000004
【図１】
2012026609.tif 000005